(57)【要約】【課題】  従来のシャッターはシャッター本体最上部にシャッターケースが設置してあり、これは本体重量比重が上に有り建物の耐震性を低下させ、メンテナンスを高所で行うと言う不便さ、さらに最上部にあるシャッターケースの為、建物シャッター面からの採光を最大限に生かせなかった。【解決手段】重量の重いシャッターケースを最下部、また地中に埋設する事により、シャッターの本体重量比重を下げ建物の耐震性を向上させ、最下部にあるシャッターケース上面の蓋からのメンテナンスを容易にし、シャッター上部からシャッターケースが無くなった事により、建物間口の高さを最大限生かすことが可能、またシャッター上部に採光用の窓を取り付ける事も出来、採光性、見た目も向上できる。【選択図】図３
2008045361.tif 000002
【特許請求の範囲】
【請求項１】
シャッター最下部にシャッターケースを設けたシャッター。
【請求項２】
シャッターケースを地下に埋設した請求項１記載のシャッター。
【請求項３】
開閉補助用にワイヤー、滑車及び重りを設けた請求項１、又は請求項２記載のシャッター。
【請求項４】
開閉補助用にワイヤー、滑車及びモーターを設けた請求項１、又は請求項２記載のシャッター。
【発明の詳細な説明】
【技術分野】
【０００１】
本発明は耐震性、メンテナンス性、採光性の向上を図ったシャッターに関する。
【背景技術】
【０００２】
従来のシャッターはシャッターケースを最上部、又は側面に設けた物がある。
【特許文献１】特開２００６−１４４３７２
【発明の開示】
【発明が解決しようとする課題】
【０００３】
従来のシャッターケースが最上部に設けてあるシャッターは、本体重量比重が上に有り、
建物の耐震性を低下させていた。
【０００４】
従来のシャッターケースが最上部に設けてあるシャッターは、メンテナンスを高所で行うと言う不便さが有った。
【０００５】
従来のシャッターケースが最上部に設けてあるシャッターは、シャッターケース分、建物間口の高さを下げる必要が有り、シャッター取り付け面の採光性を最大限に生かせなく、見た目にも悪かった。
【課題を解決するための手段】
【０００６】
シャッター最下部にシャッターケースを設ける。
【０００７】
シャッター最下部に設けたシャッターケースを地下に埋設する。
【０００８】
シャッター最下部にシャッターケースを設け、適正な速度で開閉する為、又は巻き取りしわを防ぐ為に図２、図３の様に開閉補助用のワイヤー、滑車、重り、又はモーターを取り付ける。
【０００９】
シャッター最下部に設けたシャッターケースを地下に埋設し、適正な速度で開閉する為、又は巻き取りしわを防ぐ為に図２、図３の様に開閉補助用のワイヤー、滑車、重り、又はモーターを取り付ける。
【発明の効果】
【００１０】
重量の重いシャッターケースを最下部、又は地中に埋設する事により、本体重量比重を下方に下げ、建物本体の耐震性を向上させる。
【００１１】
メンテナンスを必要とするシャッターケースを最下部、又は地中に埋設する事により、上面に取り付けた蓋から容易にメンテナンス出来る。
【００１２】
シャッターケースを最下部、又は地中に埋設する事により、建物シャッター面、間口の
高さを最大限利用でき、採光性見た目を向上させる。
【００１３】
シャッターケースを最下部、又は地中に埋設する事により、シャッターの真上すぐに、採光用の窓が設置できる。
【発明を実施するための最良の形態】
【００１４】
シャッターケースをシャッター本体最下部に設置する事により、従来のシャッターとは開閉時の動作が逆になり、シャッターを開ける時すなわち下げる時に、シャッターの重量で勢いよく閉まるのを防ぐ為、又はシャッターの巻き取りしわを防ぐ為に開閉補助用に図２、図３の様なワイヤー、滑車、重り又はモーターを取り付けて適正な開閉速度を保つ。
【００１５】
メンテナンス性を向上させる為に作業用の蓋を上面に取り付ける。
【００１６】
採光性を最大限に利用する為に、従来のシャッターケースが最上部に設置する物とは違い、シャッターを建物間口最上部にまで開閉出来るよう設置する。
【００１７】
又は、シャッターを閉めた状態でも、採光出来るようシャッター上部すぐに採光用の窓を図３の様に取り付ける。
【実施例】
【００１８】
建物の窓用に施工する場合、シャッターケースを最下部に設け、シャッター上部、窓枠すぐにひさしを設け、見た目を向上させる。この時、シャッターケースの下面には水抜き用の穴を設け中に水が溜まる事を防ぐ。
【００１９】
建物の窓用に施工する場合、シャッターケースを最下部に設け、シャッター上部、窓枠すぐに採光用の窓を設置し、シャッターを閉めた状態で防犯性を保ちながら採光出でき、
見た目も向上させる。この時、シャッターケースの下面には水抜き用の穴を設け中に水が
溜まる事を防ぐ。
【００２０】
店舗等正面に取り付ける際、シャッターケースを埋設し店舗の間口高さを最大限に生か
す為、間口の最高部に届くまで、開閉出来る様に設置する。この場合シャッターケース上蓋１０は、人又は車両等の乗り上げが有る為、図４もしくは強度の有る構造にしてなおかつ簡単に開閉できる物を設置する。
【００２１】
店舗等正面に取り付ける際、シャッターケースを埋設し店舗の間口高さを最大限に生かす為、間口の最高部に届くまで、開閉出来る様に設置しその上部すぐにひさし等を設置する。この場合シャッターケース上蓋１０は、人又は車両等の乗り上げが有る為、図４もしくは強度の有る構造にしてなおかつ簡単に開閉できる物を設置する。
【００２２】
店舗等正面に取り付ける際、シャッターケースを埋設し間口最高部には、採光でき、防犯面でも問題の無い程度の高さの窓を取り付ける。シャッターはこの採光用窓の真下ぎりぎりまで開閉できる様に設置する。この場合シャッターケース上蓋１０は、人又は車両等の乗り上げが有る為、図４もしくは強度の有る構造にしてなおかつ簡単に開閉できる物を設置する。
【００２３】
シャッターを設置する際、図２又は図３の様に開閉速度を適正なスピードで行える様に、又はシャッターの巻き取りしわを防ぐ為にワイヤー、滑車、重りもしくはモーターを設置する。
【００２４】
シャッターの幅が広くシャッター重量が重い時、ワイヤー、滑車、重りもしくはモーターをシャッター両側に設置する。
【００２５】
シャッターの高さが高くシャッター重量が重い時、ワイヤー、滑車、重りもしくはモーターをシャッター両側に設置する。
【００２６】
重り、ワイヤー等はケース、レール等の中に通る様に設置し安全、尚且つスムーズな開閉を行える様にする。
【００２７】
シャッターケース内のシャッター巻き取り補助用のスプリングは、ゼンマイ状のスプリング１４を両側に設置して行い従来よりも細くシャッターを巻き取ることが出来る。
【００２８】
図４の様に中蓋９を設置しシャッターの閉まっている時にシャッターケース内への物
の進入を防ぐ。
【００２９】
上蓋１０にはヒンジ部分にゴムシール１２を設けて水、ゴミの浸入を防ぎ、先端部にはゴムワイパーを設置。上蓋１０は簡単に開閉できる様開閉補助スプリング１３を取り付ける。                                                                      
【産業上の利用可能性】
【００３０】
住宅玄関、窓等。
【００３１】
店舗入り口、窓等。
【００３２】
ガレージ入り口、窓等。
【００３３】
倉庫入り口、窓等。
【図面の簡単な説明】
【００３４】
【図１】シャッターケースをシャッター本体最下部に設けた図
【図２】シャッターケースをシャッター本体最下部、地中に埋設し開閉の補助用、ワイヤー、滑車、重りを設けた図
【図３】シャッターケースをシャッター本体最下部、地中に埋設し開閉の補助用、ワイヤー、滑車、モーターまた、採光用の窓をシャッター本体すぐ真上に設けた図
【図４】シャッターの開いた状態の、地中埋設のシャッターケース断面図。
【図５】シャッターの閉じた状態の、地中埋設のシャッターケース断面図。
【符号の説明】
【００３５】
１  シャッターケース    
２  シャッター
３  シャッターケース蓋
４  滑車
５  ワイヤー
６  重り
７  モーター
８  窓
９  中蓋
１０  上蓋
１１  ゴムワイパー
１２  ゴムシール
１３  開閉補助スプリング
１４  ゼンマイ型スプリング
【図１】
2008045361.tif 000003
【図２】
2008045361.tif 000004
【図３】
2008045361.tif 000005
【図４】
2008045361.tif 000006
【図５】
2008045361.tif 000007